(57)【要約】【課題】絞りを有するレンズ鏡枠において、占有スペ−スが少なく、小型化が可能なレンズ鏡枠を組み立てる方法を提供する。【解決手段】本レンズ鏡枠には、第二群レンズ４２を保持する第二群枠１０の後端面にシート状の絞り板５１が接着して固定されるが、その接着固定は、枠位置決め軸８２，８３と絞り板位置決めピン８３，８４とを有する絞り板接着治具８１により行われ、両面接着テープ５３が貼付された絞り板５１を位置決めピン８３，８４に挿入して光軸Ｏ対応ポイントＰ0 に中央開口部５１ａの中心を合わせて位置決めし、第二群枠１０を枠位置決め軸８２，８３に挿入して光軸Ｏ対応ポイントＰ0 に対して位置決めし、絞り板５１上に当接させて第二群枠１０の後端面１０ｄに絞り板５１をその絞り開口である中央開口部５１ａの位置ずれなく、かつ、第二群枠１０の後面に突出する部分のない状態で接着固定される。【選択図】図１４
2005241843.tif 000002
【特許請求の範囲】
【請求項１】
絞りを有するレンズ鏡枠を製造するレンズ鏡枠組み立て方法において、
レンズを保持しているレンズ保持枠と、
上記レンズ保持枠を第一の所定の位置に保持し、上記絞りを第二の所定の位置に保持して載置する治具と、
を有しており、上記治具上で上記レンズ保持枠に上記絞りを固着させることを特徴とするレンズ鏡枠組立て方法。
【請求項２】
上記レンズ保持枠は、上記レンズ鏡枠内で移動可能とするため、上記レンズ鏡枠内に設けられた案内軸に嵌合する案内嵌合穴を有し、この案内嵌合穴を上記治具に設けられた軸部に嵌合して上記第１の所定の位置に保持されることを特徴とする請求項１記載のレンズ鏡枠組立て方法。
【請求項３】
上記絞りは、上記レンズ保持枠に上記第２の所定の位置に保持されるため、上記絞りに設けられた穴を上記治具に設けられた軸部に嵌合して上記第２の所定の位置に保持されることを特徴とする請求項１記載のレンズ鏡枠組立て方法。
【請求項４】
絞りを有するレンズ鏡枠において、
上記絞りと、
レンズを保持しているレンズ保持枠と、
を有しており、上記レンズ保持枠が治具上で第１の所定の位置に保持され、上記絞りを上記治具上で第２の所定の位置に保持し、上記治具上で上記レンズ保持枠に上記絞りが固着させられたこと特徴とするレンズ鏡枠。
【発明の詳細な説明】
【技術分野】
【０００１】
本発明は、絞り（絞り板）が固着されるレンズ保持枠を有するレンズ鏡枠の組み立て方法および該レンズ鏡枠に関する。
【背景技術】
【０００２】
従来のレンズ鏡枠において、各レンズ群を保持する所定のレンズ保持枠の間に不要光をカットするための開口を有する板状の絞り（絞り板）が配置される。この絞りは、上記いずれかの側のレンズ保持枠に固着されるが、  絞り板のレンズ光軸に対する位置精度は、周辺の光量落ちや駒収差に影響することから、所定の精度で配置する必要がある。精度よく上記絞り板を配置するために、例えば、上記レンズ保持枠に２本の位置決めピンを設け、絞り板を上記位置決めピンで位置決めすることによってレンズ光軸に対して所定の精度を保持して取り付けるようにする。
【発明の開示】
【発明が解決しようとする課題】
【０００３】
近年、デジタルカメラおよび銀塩カメラにおいてさらなる小型化が要求されており、それに対して該カメラに組み込まれるレンズ鏡枠においても各レンズ群を保持する複数のレンズ保持枠を極めて接近した位置に配置する構造が採用せざるを得ない状況にある。
【０００４】
しかし、上述した従来のレンズ鏡枠のように上記絞り板を上記レンズ保持枠に設けた位置決めピンで位置決めするものでは、該位置決めピンを外方に（光軸後方に）に突出させることかから、後方位置に配置される他のレンズ保持枠は、上記位置決めピンが介在することからそれ以上近づけることができず、光軸方向のレンズ鏡枠の占有スペ−スをできる限り小さくするという要求に十分に応えることができなかった。
【０００５】
本発明は、上述の問題を解決するためになされたものであり、絞りを有するレンズ鏡枠において、占有スペ−スが少なく、小型化が可能なレンズ鏡枠を組み立てる方法を提供し、また、該レンズ鏡枠を提供することを目的とする。
【課題を解決するための手段】
【０００６】
本発明の請求項１記載のレンズ鏡枠組立て方法は、絞りを有するレンズ鏡枠を製造するレンズ鏡枠組み立て方法において、レンズを保持しているレンズ保持枠と、上記レンズ保持枠を第一の所定の位置に保持し、上記絞りを第二の所定の位置に保持して載置する治具とを有しており、上記治具によって上記絞りが上記レンズ保持枠に位置決めされ、固着させる。
【０００７】
本発明の請求項２記載のレンズ鏡枠組立て方法は、請求項１記載のレンズ鏡枠組立て方法において、上記レンズ保持枠は、上記レンズ鏡枠内で移動可能とするため、上記レンズ鏡枠内に設けられた案内軸に嵌合する案内嵌合穴を有し、この案内嵌合穴を上記治具に設けられた軸部に嵌合して上記第１の所定の位置に保持される。
【０００８】
本発明の請求項３記載のレンズ鏡枠組立て方法は、請求項１記載のレンズ鏡枠組立て方法において、上記絞りは、上記レンズ保持枠に上記第２の所定の位置に保持されるため、上記絞りに設けられた穴を上記治具に設けられた軸部に嵌合して上記第２の所定の位置に保持される。
【０００９】
本発明の請求項４記載のレンズ鏡枠は、絞りを有するレンズ鏡枠において、上記絞りと、レンズを保持しているレンズ保持枠とを有しており、上記レンズ保持枠が治具上で第１の所定の位置に保持され、上記絞りを上記治具上で第２の所定の位置に保持し、上記治具によって上記絞りが上記レンズ保持枠に位置決めされ、固着される。
【発明の効果】
【００１０】
本発明によれば、絞りを有するレンズ鏡枠において、占有スペ−スが少なく、小型化が可能なレンズ鏡枠を組み立てる方法を提供し、また、該レンズ鏡枠を提供することができる。
【発明を実施するための最良の形態】
【００１１】
以下、図を用いて本発明の実施の形態について説明する。  
図１は、本発明の一実施形態のレンズ鏡枠の外観を示す斜視図である。図２，３，４は、それぞれ上記レンズ鏡枠の光軸に沿った断面図であって、図２は、沈胴状態を示し、図３は、ワイド状態を示し、図４は、テレ状態を示している。図５は、上記レンズ鏡枠に内蔵される第二群枠，シャッタ枠，第三群枠，第四群枠，後固定枠等を前方下側からみた斜視図である。図６は、上記レンズ鏡枠に内蔵される第二群枠，シャッタ枠，第三群枠，第四群枠，第五群枠，後固定枠を前方上側からみた斜視図である。図７は、上記レンズ鏡枠に内蔵されるシャッタ枠，第三群枠，第四群枠を後方上側からみた斜視図である。図８は、図２のＡ矢視図であって、上記レンズ鏡枠の第三群枠まわりを前方側からみた図である。図９は、図２のＢ矢視図であって。上記レンズ鏡枠の第四群レンズ枠まわりを前方側から見た図である。図１０は、上記レンズ鏡枠の第二群枠と絞り板とシャッタ枠まわりを示す光軸に沿った拡大断面図である。図１１は、図１０のＣ矢視図であって、第二群レンズ枠に絞り板を貼付した状態を示す。図１２は、上記絞り板の図１０のＣ矢視図である。図１３は、絞り板貼付前の第二群レンズ枠の図１０のＣ矢視図である。図１４は、第二群枠に絞り板を絞り板接着治具を用いて位置決めして貼付する状態を示す斜視図である。
【００１２】
なお、以下の説明においては、撮影レンズの光軸（撮影光軸）は、光軸Ｏで示す。光軸Ｏに沿った被写体側を前方（＋Ｚ方向）とし、結像側を後方（−Ｚ方向）とする。左右方向は、前方からみた方向で示す。
【００１３】
本発明の一実施形態であるレンズ鏡枠１は、デジタルカメラ用のズームレンズ鏡枠であって、図１に示すように第一〜五群レンズ４１〜４５を保持する進退移動可能な複数のレンズ保持枠およびＣＣＤ４７を有する撮像ユニットと、該レンズ保持枠を進退駆動するズームモータ７１および駆動ギヤ列を内蔵するギヤボックス７２等を有してなる。
【００１４】
詳しくは、レンズ鏡枠１は、図２〜４に示すように一体結合される第一固定枠２，他の枠部材である第二固定枠３，前固定板５，後固定板１６と、ズーミング時に進退駆動される複数の枠部材として第一群レンズ４１を保持する第一群枠６，第二群レンズ４２を保持し、絞り板が固着される第二群枠１０，第三群レンズ４３およびシャッタ枠１３を保持する移動枠部材としての第三群枠１２，第四群レンズ４４を保持する移動枠部材としての第四群枠１４，フォーカシング時に進退駆動され、第五群レンズ４５を保持する第五群枠１５と、撮像ユニットとして後固定板１６に固定される光学フィルタ４６，ＣＣＤ４７，ＣＣＤ支持板４８と、上述したズームモータ７１およびギヤボックス７２とを有している。
【００１５】
第一固定枠２は、円環状枠部材であって、内周面部に光軸Ｏ方向に沿った３本の直進溝２ａが設けられている。また、第一固定枠２の内周部に所定の空間部を設けた状態で第二固定枠３がその後端部にてビスにより固定支持される。さらに、第二固定枠３の前端面に前固定板５がビス６２により固定支持され、第二固定枠３の後端面に後固定板１６が固定されている。第一固定枠２の外部には、ズームモータ７１と、ズームモータ７１とカム枠４とを連結するギヤ列を内蔵するギヤボックス７２とが配置されている。
【００１６】
前固定板５は、中央開口部を有する円板形状部材である。前固定板５には有底軸支持穴部５ａ，５ｂが光軸Ｏを挟んで略対向する左下，右上位置に配置される。また、後固定板１６には中央開口部に光学フィルタ４６と、その後方位置にＣＣＤ支持板４８に支持されたＣＣＤ４７とが固定配置されている。また、後固定板１６には有底軸支持穴部１６ａ，１６ｂが光軸Ｏを挟んで略対向する左下，右上位置に配置される。
【００１７】
前，後固定板５，１６の軸支持穴部５ａ，５ｂおよび１６ａ，１６ｂには、２本の棒状の案内軸であるガイド軸２１と２２とが嵌入して光軸Ｏと平行な状態で固定支持される。
【００１８】
カム枠４は、円環状枠部材であって、第二固定枠３の外周に嵌合して光軸Ｏ方向の移動が規制され、回転自在の状態で支持されている。このカム枠４の後端外周部にギヤ部４ａが設けられ、円環外周部に光軸Ｏに対して斜行する同一形状の３本のカム溝４ｂが設けられ、さらに、円環内周部に光軸Ｏに対して斜行する２本のカム溝４ｃ，各１本のカム溝４ｄ，４ｅが設けられている。なお、カム溝４ｂ，４ｃ，４ｄ，４ｅは、嵌入するカムフォロア３１，３３Ａ，３３Ｂ、３４，３５の円錐面に合わせた傾斜面を持つカム溝である。
【００１９】
カム枠４のギヤ部４ａには、上記ギヤ列の出力ギヤ端が噛合する。従って、カム枠４は、沈胴状態からのセットアップ時、または、セットダウン時やズーム駆動時にズームモータ７１により上記ギヤ列を介して回動駆動される。
【００２０】
第一群枠６は、円環状枠部材であって、第一の固定枠２の内周とカム枠４の外周間に回動，進退自在に嵌入して支持されている。この第一群枠６の前端面部に第一群レンズ４１を保持する第一群レンズ保持枠７がビス６１により固着されている。さらに、第一群レンズ保持枠７の前面側にフィルタ環８が螺着され、取り付けられている。
【００２１】
第一群枠６の外周後方部には、３本の直進ガイドピン３２が固着され、内周後方部には、円錐面をもつ３本のカムフォロア３１が固着されている。直進ガイドピン３２は、第一固定枠２の直進溝２ａに摺動自在に嵌入し、カムフォロア３１は、カム枠４のカム溝４ｂに摺動自在に嵌入する。従って、沈胴駆動時、さらに、ズーミング時にカム枠４が回動駆動されると、第一群枠６は、光軸Ｏ方向に直進ガイドされながらカム枠４のカム溝４ｂに沿って進退駆動される（図２〜４）。
【００２２】
第二群枠１０は、後部にフランジ部１０ａを有する枠部材であって、第二固定枠３の内部に組み込まれる。第二群枠１０の中央開口部に第二群レンズ４２が保持される。第二群レンズ４２の前面外周部は、レンズ押さえ１１が固着される。フランジ部１０ａの後方外周の光軸Ｏを挟んで略対向する２箇所には、スリーブ穴１０ｂとＵ字溝１０ｃとが設けられる。
【００２３】
スリーブ穴１０ｂには、スリーブ２５がガタのある状態で挿入され、位置決めされた状態で接着固定される。すなわち、スリーブ２５にガイド軸２１を嵌入させ、第二群枠１０（第二群レンズ４２）の光軸Ｏに対して該ガイド軸２１が所定の位置精度に調節され、保持された状態のもとでスリーブ穴１０ｂとスリーブ２５とが接着固定される。なお、レンズ鏡枠組み付け状態では、スリーブ２５の案内嵌合穴である軸穴２５ａには、ガイド軸２１が摺動自在に嵌入し、Ｕ字溝１０ｃには、ガイド軸２２が摺動自在に嵌入する。
【００２４】
第二群枠１０のフランジ部１０ａの後端面１０ｄであって、シャッタ枠１３と光軸Ｏ方向に対向する部分には、図１０，１１に示すように不要光カット用のシート状絞りである絞り板５１が光軸Ｏと直交方向に位置決めされて固着される。その固着作業は、後述する絞り板接着治具８１（図１４）を用いて行われる。
【００２５】
絞り板５１には、絞り開口である中央開口５１ａと外周部に第二群枠の凸部逃げ用切り欠き５１ｂ，５１ｃとが設けられ、さらに、中央開口５１ａの外側に２つの位置決め穴５１ｄ，５１ｅが設けられている（図１２，図１４）。一方、絞り板接着治具８１には、光軸対応ポイントＰ0 を基準にしたガイド軸２１，２２の相当位置に軸部である枠位置決め軸８２，８３が設けられ、さらに、絞り板５１の中央開口部５１ａの中心を光軸対応ポイントＰ0 に位置決めするための軸部である絞り板位置決めピン８４，８５が固定されている（図１４）。
【００２６】
絞り板５１を第二群枠１０に接着固定する場合、図１４に示すように両面接着テープ５３を上面に貼付した絞り板５１の位置決め穴５１ｄ，５１ｅを絞り板接着治具８１の位置決めピン８４，８５に嵌合させて取り付ける。この取り付け状態で絞り板５１は、絞り板接着治具８１の光軸対応ポイントＰ0 に対して中央開口５１ａの中心が一致した第二の所定位置に位置決めされる。一方、すでにスリーブ２５が定位置に固着されている第二群枠１０を該スリーブ２５とＵ字溝１０ｃをそれぞれ枠位置決め軸８２，８３に嵌合させる。この嵌合によって、第二群枠１０は、絞り板接着治具８１の光軸対応ポイントＰ0 に対してスリーブ２５の軸穴２５ａとＵ字溝１０ｃが所定の位置関係となる第一の所定位置に保持され、絞り板５１の上面に当接される。上記当接により絞り板５１の開口部５１ａ中心が第二群枠１０の光軸に一致した状態で該絞り板５１が第二群枠１０の後端面１０ｄ側に固着される。
【００２７】
第二群枠１０には、スリーブ２５およびＵ字溝１０ｃに隣接して円錐面を有する金属製カムフォロア３３Ａ，３３Ｂが固着される。カムフォロア３３Ａ，３３Ｂは、第二固定枠３の挿通溝３ｂを挿通してカム枠４の２本の内周カム溝４ｃに摺動自在に嵌入する。沈胴駆動時やズーミング時、カム枠４が回動駆動された場合、第二群枠１０は、ガイド軸２１，２２でガイドされてカム溝４ｃの軌跡に沿って光軸Ｏ方向に進退移動する（図２〜４）。
【００２８】
第三群枠１２は、フランジ部を有する枠部材であって、第二固定枠３の内部に組み込まれる。第三群枠１２の前面部にシャッタ枠１３が固着され、中央開口部に第三群レンズ４３が保持されている。
【００２９】
第三群枠１２のフランジ部には、図８に示すように光軸Ｏを挟んで略対向する左，右の背面側２箇所にガイド軸支持穴１２ａ，１２ｂが設けられ、さらに、ガイド軸支持穴１２ａ，１２ｂの近傍にて光軸Ｏを挟んで略対向する左下，右上の２箇所にスリーブ穴１２ｃとＵ字溝１２ｄとが設けられる。
【００３０】
ガイド軸支持穴１２ａ，１２ｂには、ガイド軸２３，２４が光軸Ｏと平行に後方に向けて延出した状態でそれぞれ接着固定される。このガイド軸２３，２４の光軸直交面上の位置は、それぞれガイド軸２１，２２の配設位置の近傍となる。
【００３１】
スリーブ穴１２ｃには、スリーブ２６がガタのある状態で挿入され、ガイド軸２１を基準にして位置決めされた状態で接着固定される。その位置決め接着方法は、スリーブ２５の場合と同様と同様とする。スリーブ２６には、ガイド軸２１が摺動自在に嵌入し、Ｕ字溝１２ｄには、ガイド軸２２が摺動自在に嵌入する。
【００３２】
第三群枠１２には、スリーブ２６に嵌入するガイド軸２１に隣接して円錐面を有する単一の金属製カムフォロア３４が固着されている。カムフォロア３４は、第二固定枠３の挿通溝３ｂを挿通してカム枠４の内周カム溝４ｄに摺動自在に嵌入する。沈胴駆動時やズーミング時にカム枠４が回動駆動された場合、第三群枠１２は、ガイド軸２１，２２にガイドされながらカム溝４ｄの軌跡に沿って光軸Ｏ方向に進退移動する（図２〜４）。
【００３３】
第三群枠１２のフランジ部外周部のＵ字溝１２ｄの近傍であって、カムフォロア３４に対して光軸Ｏを挟んで略対向する位置に外方にわずかに突出する凸部１２ｅが設けられる（図６，８）。この凸部１２ｅは、レンズ鏡枠１の通常の使用状態（進退駆動状態）にあっては、第二固定枠３の内周面３ａに当接することなく、所定の隙間Ｓ1 を維持しながら進退移動する。
【００３４】
レンズ鏡枠に衝撃力等の外力が作用し、もし、レンズ鏡枠の各部が変形した場合、凸部１２ｅが第二固定枠３の内周面３ａに当接する。この当接によって、カムフォロア３４のカム溝４ｄからの抜け出しが防止される。
【００３５】
シャッタ枠１３は、中央開口部を開閉可能なシャッタ羽根５２および絞り調節可能な絞り羽根（図示せず）、さらに、シャッタ羽根，絞り羽根駆動用のソレノイド（図示せず）等を内蔵している。このシャッタ枠１３は、第三群枠１２の前面側に固定支持され、第三群枠１２とともに進退移動する。
【００３６】
第四群枠１４は、第二固定枠３の内部に組み込まれ、中央開口部に第四群レンズ４４を保持している。第四群枠１４の光軸Ｏを挟んだ左，右側位置にスリーブ穴１４ａとＵ字溝１４ｂが設けられている（図９）。
【００３７】
スリーブ穴１４ａにはスリーブ２７がガタのある状態で挿入され、ガイド軸２３を基準にして位置決めされた状態で接着固定される。その位置決め接着方法は、スリーブ２５の場合と同様とする。そして、スリーブ２７には、第三群枠１２に固着されたガイド軸２３が摺動自在に嵌入し、Ｕ字溝１４ｂには、第三群枠１２に固着されたガイド軸２４が摺動自在に嵌入する。
【００３８】
第四群枠１４には、スリーブ２７に嵌入するガイド軸２３に隣接して、円錐面を有する単一の金属製カムフォロア３５が固着されている（結果としてカムフォロア３５は、ガイド軸２１にも隣接する。図９）。カムフォロア３５は、第二固定枠３の挿通溝３ｂを挿通してカム枠４の内周カム溝４ｅに摺動自在に嵌入する。沈胴駆動時やズーム駆動時にカム枠４が回動駆動された場合、第四群枠１４は、ガイド軸２１，２２にガイドされる第三群枠１２側のガイド軸２３，２４によってガイドされながらカム溝４ｅの軌跡に沿って光軸Ｏ方向に進退移動する（図２〜４）。なお、ガイド軸２３の後方には、端部が止め輪によって固定された圧縮バネ３０が挿入されており、第四群枠１４と第三群枠１２とが互いに接近する方向に付勢される。従って、後述する第四群枠１４のカムフォロア３５と第三群枠１２のカムフォロア３４との間のカム枠４のカム溝４ｄ，４ｅ上の嵌合ガタが取り除かれ、第三，四群枠１２，１４は、常に光軸Ｏ方向にガタのない状態で進退駆動される。
【００３９】
第四群枠１４のフランジ部外周部のＵ字溝１４ｂの近傍であって、カムフォロア３５に光軸Ｏを挟んで略対向する位置に鏡筒径方向の外側にわずかに突出する凸部１４ｅが設けられる（図６，８）。さらに、Ｕ字溝１４ｂの底部に肉盛り部１４ｄが設けられる。一方、第四群枠１４のフランジ部外周部のスリーブ２７，カムフォロア３５の近傍に鏡筒径方向の外側に突出する凸部１４ｃが設けられる。レンズ鏡枠１の通常の使用状態（進退駆動状態）にあっては、凸部１４ｅ，１４ｃは、第二固定枠３の内周面３ａに当接することなく、それぞれ所定の隙間Ｓ2 ，Ｓ4 を維持している。肉盛り部１４ｄは、ガイド軸２４に当接することなく、所定の隙間Ｓ3 を維持している。また、凸部１４ｃの光軸Ｏ方向の位置は、カムフォロア３５に対して後方側に所定距離ずれて配置されている（なお、凸部１４ｃは、光軸方向に所定の厚みを有する凸部であってもよい）。
【００４０】
レンズ鏡枠１に衝撃力等の外力が作用し、もし、レンズ鏡枠の各部が変形した場合、凸部１４ｅ，１４ｃが第二固定枠３の内周面３ａに、また、肉盛り部１４ｄがガイド軸２４に当接することによって、カムフォロア３５のカム溝４ｅからの抜け出しが防止される。
【００４１】
第五群枠１５は、第二固定枠３の内部に組み込まれ、中央開口部に第五群レンズ４５を保持している。第五群枠１５の光軸Ｏを挟んだ左下，右上側位置にＵ字溝１５ａとスリーブ穴１５ｂとが設けられる（図９）。
【００４２】
スリーブ穴１５ｂにはスリーブ２８がガタのある状態で挿入され、ガイド軸２２を基準にして位置決めされた状態で接着固定される。その位置決め接着方法は、スリーブ２５の場合と同様と同様とする。そして、スリーブ２８には前，後固定板５，１６に支持されたガイド軸２２が摺動自在に嵌入し、Ｕ字溝１５ａには前，後固定板５，１６に支持されたガイド軸２１が摺動自在に嵌入する。
【００４３】
第五群枠１５は、図示しないフォーカス駆動機構部を介してフォーカシング駆動され、ガイド軸２１，２２にガイドされて光軸Ｏ方向に進退移動する。
【００４４】
上述した構成を有する本実施形態のレンズ鏡枠１においては、図２に示す沈胴状態にあるとき、ズームモータ７１を駆動してカム枠４をセットアップ方向に回動駆動すると、上記各カム溝によって上記各カムフォロアが光軸Ｏ方向に移動し、第一群枠６，第二群枠１０，第三群枠１２，第四群枠１４がそれぞれワイド位置に繰り出され、ワイドでの撮影可能な状態となる（図３）。そこで、上記フォーカス駆動機構部により第五群枠１５を進退駆動し、フォーカシングが行われ、ワイド状態での撮影が実行される。さらに、ズームモータ７１を同方向に駆動すると、上記各枠が、テレ位置に繰り出され、テレ状態での撮影が可能となる（図４）。ズームモータ７１を逆転駆動して、カム枠４をセットダウン方向に回動駆動すると上記各枠は、図２に示す沈胴位置に繰り込まれる。
【００４５】
上述のようにレンズ鏡枠１においては、上述した絞り板接着治具８１を用いて絞り板５１と第二群枠１０とを互いに位置決めして接着固定するようにした。したがって、絞り板５１は、第二群枠１０のフランジ部１０ａの後端面１０ｄにて光軸Ｏに対してその中心位置ずれの極めて少ない状態で接着固定できる。しかも、絞り板５１の背面が第二群枠１０側の最後端面となり、枠部材側に絞り板用凸状位置決めピンを設けた従来の枠部材のように枠部材後端面の絞り板からさらに位置決めピンが突出することがない。これによって、後方側のシャッタ枠１３の前端面１３ａとの間を極めて接近させることが可能となり、レンズ鏡枠の光学設計の自由度が増え、また、レンズ鏡枠の小型化も可能となる。
【産業上の利用可能性】
【００４６】
本発明によるレンズ鏡枠、または、該レンズ鏡枠の組み立て方法は、絞りを有するレンズ鏡枠において、占有スペ−スが少なく、小型化が可能なレンズ鏡枠、または、該レンズ鏡枠を組み立てる方法として利用可能である。
【図面の簡単な説明】
【００４７】
【図１】図１は、本発明の一実施形態のレンズ鏡枠の外観を示す斜視図である。
【図２】図１のレンズ鏡枠の沈胴状態での光軸に沿った断面図である。
【図３】図１のレンズ鏡枠のワイド状態での光軸に沿った断面図である。
【図４】図１のレンズ鏡枠のテレ状態での光軸に沿った断面図である。
【図５】図１のレンズ鏡枠に内蔵される第二群枠，シャッタ枠，第三群枠，第四群枠，後固定枠等を前方下側からみた斜視図である。
【図６】図１のレンズ鏡枠に内蔵される第二群枠，シャッタ枠，第三群枠，第四群枠，第五群枠，後固定枠を前方上側からみた斜視図である。
【図７】図１のレンズ鏡枠に内蔵されるシャッタ枠，第三群枠，第四群枠を後方上側からみた斜視図である。
【図８】図２のＡ矢視図であって、上記レンズ鏡枠の第三群枠まわりを前方側からみた図である。
【図９】図２のＢ矢視図であって。上記レンズ鏡枠の第四群レンズ枠まわりを前方側から見た図である。
【図１０】図１のレンズ鏡枠の第二群枠と絞り板とシャッタ枠まわりを示す光軸に沿った拡大断面図である。
【図１１】図１０のＣ矢視図であって、第二群レンズ枠に絞り板を貼付した状態を示す。
【図１２】図１０のＣ矢視で示される絞り板を示す図である。
【図１３】図１０のＣ矢視で示される絞り板貼付前の上記第二群レンズ枠を示す図である。
【図１４】図１３の第二群枠に図１２の絞り板を絞り板接着治具を用いて位置決めして貼付する状態を示す斜視図である。
【符号の説明】
【００４８】
１０  …第二群枠（レンズ保持枠）
２１  …ガイド軸（案内軸）
２５ａ…スリーブの軸穴（案内軸嵌合穴）
５１  …絞り板（絞り）
５１ｄ，５１ｅ
…位置決め穴（穴）
８１  …絞り板接着治具（治具）
８２，８３
…枠位置決め軸（軸部）
８４，８５
…絞り板位置決めピン（軸部）
代理人      弁理士    伊  藤    進
【図１】
2005241843.tif 000003
【図２】
2005241843.tif 000004
【図３】
2005241843.tif 000005
【図４】
2005241843.tif 000006
【図５】
2005241843.tif 000007
【図６】
2005241843.tif 000008
【図７】
2005241843.tif 000009
【図８】
2005241843.tif 000010
【図９】
2005241843.tif 000011
【図１０】
2005241843.tif 000012
【図１１】
2005241843.tif 000013
【図１２】
2005241843.tif 000014
【図１３】
2005241843.tif 000015
【図１４】
2005241843.tif 000016